(57)【特許請求の範囲】
【請求項１】
左右のスライド移動により穀稈を刈り取る刈刃（４），（６）と、該刈刃（４），（６）を固定フレーム（３）に対して左右スライドさせる駆動機構（７）とを備え、該駆動機構（７）が、刈刃（４），（６）側に一体的に固定される駆動部材（１２），（１３）と、該駆動部材（１２），（１３）を左右方向にスライドさせる駆動部（３１）とからなり、上記刈刃（４），（６）側に、杆状のガイド杆（８），（９）を一体的に設け、該ガイド杆（８），（９）を左右スライド自在にガイドするスライドガイド（１４）を、ガイド杆（８），（９）に沿わせて固定フレーム（３）側に設けたものにおいて、駆動部（３１）からの駆動力を受ける受け（１３ａ）が、刈刃（６）側との固定位置より後方にオフセットして設けられている駆動部材（１３）に隣接するスライドガイド（１４ａ）の当該駆動部材（１３）側を、該駆動部材（１３）の当該スライドガイド（１４ａ）側の固定位置に近接するように延出させた穀稈切断装置。
【請求項２】
駆動部からの駆動力を受ける受け（１３ａ）が、刈刃（６）側との固定位置より後方にオフセットして設けられている駆動部材（１３）に隣接するスライドガイド（１４ａ）の前記駆動部材（１３）側の延出端部（３０）を固定フレーム（３）側に固定した請求項１の穀稈切断装置。
【請求項３】
穀稈切断装置を穀稈刈取作業機側に係止する係止具（４１）をスライドガイド（１４）側に取り付けた請求項１又は２の穀稈切断装置。
【発明の詳細な説明】
【０００１】
【発明の属する技術分野】
この発明はコンバイン等の圃場の穀稈を刈り取ることが可能な穀稈刈取作業機に取り付けられる穀稈切断装置に関する。
【０００２】
【従来の技術】
従来トラクタ等の穀稈を刈り取ることができる穀稈刈取作業機には、穀稈を刈り取る（切断する）穀稈切断装置が刈り取り進行方向前方に取り付けられているが、該穀稈切断装置として左右のスライド移動により穀稈を刈り取る刈刃と、該刈刃を左右スライドせしめる駆動機構とを備え、該駆動機構が、刈刃側に一体的に固定される駆動部材と、該駆動部材を左右方向にスライドせしめる駆動部とからなり、上記刈刃側には杆状のガイド杆を一体的に設け、該ガイド杆を左右スライド自在にガイドするスライドガイドを固定フレーム側に固定し、該スライドガイドをガイド杆に沿って１つ以上設けたものが知られている。
【０００３】
【発明が解決しようとする課題】
しかし駆動機構による刈刃の左右スライド駆動時に、駆動部材の駆動支点から刈刃側と駆動部材との固定点とのスライド方向に交差する方向の距離に因りスライド方向に対するねじりモーメントが発生するため、該モーメントを受けるためにガイド杆側の強度を必要以上に大きくする必要があるという欠点があった。
【０００４】
【課題を解決するための手段】
上記課題を解決するために本発明の穀稈切断装置は、左右のスライド移動により穀稈を刈り取る刈刃４，６と、該刈刃４，６を固定フレーム３に対して左右スライドさせる駆動機構７とを備え、該駆動機構７が、刈刃４，６側に一体的に固定される駆動部材１２，１３と、該駆動部材１２，１３を左右方向にスライドさせる駆動部３１とからなり、上記刈刃４，６側に、杆状のガイド杆８，９を一体的に設け、該ガイド杆８，９を左右スライド自在にガイドするスライドガイド１４を、ガイド杆８，９に沿わせて固定フレーム３側に設けたものにおいて、駆動部３１からの駆動力を受ける受け１３ａが、刈刃６側との固定位置より後方にオフセットして設けられている駆動部材１３に隣接するスライドガイド１４ａの当該駆動部材１３側を、該駆動部材１３の当該スライドガイド１４ａ側の固定位置に近接するように延出させたことを特徴としている。
【０００５】
第２に駆動部からの駆動力を受ける受け１３ａが、刈刃６側との固定位置より後方にオフセットして設けられている駆動部材１３に隣接するスライドガイド１４ａの前記駆動部材１３側の延出端部３０を固定フレーム３側に固定したことを特徴としている。
【０００６】
第３に穀稈切断装置を穀稈刈取作業機側に係止する係止具４１をスライドガイド１４側に取り付けたことを特徴としている。
【０００７】
【発明の実施の形態】
図１，図２は従来同様前方に前処理部が設けられ、該前処理部により圃場の穀稈を刈り取ることができる穀稈刈取作業機であるコンバインに取り付けられた本発明の穀稈切断装置Ｓの平面図及び要部側面図であり、該穀稈切断装置Ｓは、従来同様上記前処理部における左右方向の横フレーム１から前方に突設されたデバイダフレーム２側に支持されて、前処理部の下方に取り付けられている。
【０００８】
このとき該穀稈切断装置Ｓは図１，図３に示されるように、前記横フレーム１の略全幅にわたって取り付けられた左右方向のプレート状の固定フレーム（受刃台）３上に構成されており、該受刃台３上に各左右スライド自在に載置されている上刈刃４と下刈刃６を駆動機構７（図１，図２参照）により左右逆方向にスライドさせることで、上記デバイダフレーム２の先端に取り付けられ、穀稈切断装置Ｓより前方に位置するデバイダ（図示せず）で掻き分けられた穀稈の刈取動作を行う構造となっている。
【０００９】
そして図３，図４（ａ）に示されるように上記上刈刃４の上面及び下刈刃６の下面には、上刈刃４又は下刈刃６の略全幅にわたってプレート杆状のガイド杆（ナイフバー）８，９がリベット１１等により固着されており、両ナイフバー８，９にはそれぞれプレート状のナイフヘッド１２，１３がリベット１１に共締めされて固着されている。このとき上刈刃４側のナイフヘッド１２はナイフバー８の略真上に、下刈刃６側のナイフヘッド１３はナイフバー９から所定方向後方位置にオフセットしてそれぞれコの字状の切り欠きからなる受け１２ａ，１３ａが形成せしめられている。
【００１０】
また上下のナイフバー８，９が受刃台３側に固定されたスライドガイド１４により左右スライド自在に支持されており、これにより上下の刈刃４，６が左右スライド自在に受刃台３側に取り付けられている。そして後述するように該受け１２ａ，１３ａを介して上記駆動機構７によりナイフヘッド１２，１３を左右にスライド駆動せしめることで、上下の刈刃４，６を左右スライド移動させ、穀稈を切断せしめる構造となっている。
【００１１】
なおスライドガイド１４は上刃側のナイフバー８を左右スライド自在に支持する上刃ガイド１７と下刃側のナイフバー９を左右スライド自在に支持する下刃ガイド１８とがユニット化されて１組となって構成されており、上刃ガイド１７は、前端面がナイフバー８の後端面と当接するように後端側が受刃台３に固定されたプレート状のガイド（後ガイド）１９と、該後ガイド１９にナイフクリップ２１を介して固定され、後端面がナイフバー８の前端面と当接するガイド（前ガイド）２２とから構成されている。
【００１２】
また下刃ガイド１８は、前端面がナイフバー９の後端面と当接するように後端側が受刃台３に固定されたプレート状のガイド（後ガイド）２３と、後端面がナイフバー９の前端面と当接するように受刃台３に固定されたガイド（前ガイド）２６とから構成されている。つまり上下の刈刃４，６は各ナイフバー８，９の前後が前ガイド２２，２６及び後ガイド１９，２３に左右スライド自在に狭持されて、受刃台３に左右スライド自在に位置決め取り付けされている。そしてスライドガイド１４はナイフバー８，９に沿って複数設けられている。
【００１３】
なお上下の後ガイド１９，２３は共通のボルト２７により受刃台３に固定されており、これにより上刃ガイド１７と下刃ガイド１８をユニット化して１つのスライドガイド１４を構成せしめ、該スライドガイド１４を受刃台３側に固定せしめている。また両後ガイド１９，２３間には上記ボルト２７に外嵌されてスペーサ２８が設けられており、上刈刃４と下刈刃６とを背面同士スライド自在に当接せしめている。
【００１４】
このとき前述のように両ナイフヘッド１２，１３は、ナイフバー８，９に固定されているが、上刈刃側のナイフヘッド１２は、該ナイフヘッド１２に隣接するスライドガイド１４ａの上刃ガイド１７ａに近接する位置（スライドスペースは確保されている）でナイフバー８に固定されており、また下刈刃側のナイフヘッド１３のナイフバー９との固定側に隣接するスライドガイド１４ａにおける後ガイド２３ａが、ナイフヘッド１３とナイフバー９との固定位置近傍まで延出するとともに、図３，図４（ｂ）に示されるように上記延出部３０の端部側がボルト２５等を介して受刃台３に固定されている。
【００１５】
一方図１，図２に示されるように前述の駆動機構７は上記受刃台３の後方側に配置されており、前述のナイフヘッド１２，１３と、該ナイフヘッド１２，１３に連係されてナイフヘッド１２，１３を左右方向にスライド駆動する駆動部３１とからなり、該駆動部３１は従来同様前処理部側から駆動力が入力されるように構成されている。そして上記駆動部３１は上刈刃４側のナイフヘッド１２（受け１２ａ）にピン３２を介して連結されるアーム３３と下刈刃側のナイフヘッド１３（受け１３ａ）にピン３４を介して連結されるアーム３６とを、回転駆動される回転部材３７によりロッド３８を介して駆動することでナイフヘッド１２，１３を左右スライド移動させる従来公知の構造となっている。
【００１６】
以上により駆動機構７により上下の刈刃４，６がナイフバー８，９を介して左右スライド駆動されるが、このスライド駆動時にナイフヘッド１２，１３の駆動支点（受け１２ａ，１３ａに係合するピン３２，３４）からナイフヘッド１２，１３とナイフバー８，９との固定点までのスライド方向に交差する方向の距離により、ナイフバー８，９にはスライド方向に対するねじりモーメントが発生する。そしてこのねじりモーメントは上記スライドガイド１４により受けられるが、このとき上記モーメントの多くはナイフヘッド１２，１３に隣接するスライドガイド１４ａにより受けられる。
【００１７】
そしてこのナイフヘッド１２，１３に隣接するスライドガイド１４ａ（上刃ガイド１７及び下刃ガイド１８）は上記構造により上下のナイフヘッド１２，１３のナイフバー８，９との固定部分と近接するため、ナイフバー８，９側にかかる負担が小さく、上記モーメントはスライドガイド１４ａにより安定して受けられる。特にスライドガイド１４ａにおける下刃ガイド１８の後ガイド２３ａの延出部３０（端部）が受刃台３に固定されているため、上記後ガイド２３ａにかかる負荷も小さく、上記延出部３０の破損等も防止され下刃ガイド１８においても上記モーメントを安定して受ける。
【００１８】
このため刈刃４，６のスライド駆動により発生するねじりモーメントに起因する穀稈切断装置Ｓ側（刈刃４，６やナイフバー８，９等）の破損や、スライドガイド１４とナイフバー８，９とのがたの増加等が防止され、穀稈切断装置の作動に起因した構造不良等が防止される。すなわちナイフバー８，９等の強度を必要以上に大きくすることなく上記モーメントを安定して受けることができ、ナイフバー８，９の板厚を比較的薄くすることができ、省スペース且つ低コストで穀稈切断装置Ｓが構成せしめられている。
【００１９】
一方図１〜図３，図４（ｃ）に示されるように受刃台３の左右両端側に位置するスライドガイド１４ｂにおける下刈刃側の後ガイド２３ｂは、後端側が受刃台３側から後方に突出しており、この突出部分には左右方向にピン等からなる係止具（フック部材）４１が固定されている。そして図１，図２に示されるように前述のコンバインの前処理部側には上記フック部材４１を係脱自在に係合せしめる係合部４２が設けられており、穀稈切断装置Ｓはフック部材４１が係合部４２に係合せしめられた状態で、前処理部側にボルト等で固定されている。
【００２０】
このため穀稈切断装置Ｓをコンバインから取り外す際に、ボルトの固定を解除しても穀稈切断装置Ｓの左右両端が係合部４２を介して前処理部側に係合せしめられているため、分離せず穀稈切断装置の組付けやメンテナンス等を容易に行うことができるが、上記フック部材４１がスライドガイド１４側に取り付けられているため、フック部材４１を穀稈切断装置に取り付けるための専用ステー等が不要であり、コストダウンが図られている。
【００２１】
【発明の効果】
駆動機構による刈刃の左右スライド駆動時に、駆動部材の駆動支点から刈刃側と駆動部材との固定点までのスライド方向に交差する方向の距離に因り、ガイド杆には、スライド方向に対するねじりモーメントが発生する。該モーメントの多くは駆動部材に近接するスライドガイドによって受けられる。以上のように構成される本発明の構造によれば、駆動部からの駆動力を受ける受けが、刈刃側との固定位置より後方にオフセットして設けられている駆動部材に隣接するスライドガイドの当該駆動部材側は、該駆動部材の当該スライドガイド側の固定位置に近接するように延出しており、上記モーメントはスライドガイドにより安定して受けられ、ガイド杆側にかかる負担が小さく、ガイド杆等の強度を必要以上に大きくすることなく、上記モーメントに起因する刈刃側の破損等を防止することができるという効果がある。
【００２２】
特に駆動部からの駆動力を受ける受けが、刈刃側との固定位置より後方にオフセットして設けられている駆動部材に隣接するスライドガイドにおける前記駆動部材側の延出端部を固定フレーム側に固定することにより、スライドガイド側の強度が増し、スライドガイド側にかかる負担が小さく、上記モーメント等をより安定して受けることができる。なお穀稈切断装置をコンバイン等の穀稈刈取作業機側に係止せしめる係止具をスライドガイドに取り付けることで、穀稈切断装置を穀稈刈り取り装置から取り外す際にボルトの固定を解除しても穀稈切断装置が穀稈刈取装置から分離しないが、このとき上記係止具を取り付けるための専用のステー等が不要であり、コストダウンが図られる。
【図面の簡単な説明】
【図１】コンバインに取り付けられた穀稈切断装置の平面図である。
【図２】コンバインに取り付けられた穀稈切断装置の要部側面図である。
【図３】穀稈切断装置の平面図である。
【図４】（ａ），（ｂ），（ｃ）は、図３におけるＡ−Ａ，Ｂ−Ｂ，Ｃ−Ｃ断面図である。
【符号の説明】
４      上刈刃
６      下刈刃
７      駆動機構
１２    ナイフヘッド（駆動部材）
１３    ナイフヘッド（駆動部材）
３１    駆動部
８      ナイフバー（ガイド杆）
９      ナイフバー（ガイド杆）
１４    スライドガイド
３      受刃台（固定フレーム）
１４ａ  スライドガイド
４１    フック部材（係止具）
【図１】
0003741888.tif 000002
【図２】
0003741888.tif 000003
【図３】
0003741888.tif 000004
【図４】
0003741888.tif 000005